(57)【要約】【課題】遊技の趣向性を高く維持するとともに、防犯性能を高めることができる遊技機を提供する。【解決手段】遊技機１は、遊技領域形成部２と、遊技領域形成部２の前方Ｄ１に配置された樹脂透明板６と、遊技者の操作を受けて可動する操作装置７とを備える。遊技領域形成部２の遊技領域には、遊技球が進入して流下可能な球流下領域２１と、遊技球が進入せず、遊技の演出を行うための演出領域２２とが形成されている。操作装置７は、遊技者の操作を受けて可動する可動部７１と、可動部７１の動きを検出する検出部７５とを有する。可動部７１は、樹脂透明板６における、演出領域２２の前方Ｄ１に配置されており、検出部７５は、樹脂透明板６の後方Ｄ２に配置されている。【選択図】図４
2020054624.tif 000002
【特許請求の範囲】
【請求項１】
遊技領域形成部と、前記遊技領域形成部の前方に配置された透明部材と、遊技者の操作を受けて可動する操作装置とを備える遊技機であって、
前記遊技領域形成部には、遊技球が進入して流下可能な球流下領域と、遊技球が進入せず、遊技の演出を行うための演出領域とが形成されており、
前記操作装置は、
前記透明部材における、前記演出領域の前方の位置に配置されて、遊技者の操作を受けて可動する可動部と、
前記透明部材の後方に配置されて、前記可動部の動きを検出する検出部と、を有する、遊技機。
【請求項２】
前記遊技領域形成部は、前記球流下領域及び前記演出領域を含む遊技領域を有する遊技盤によって構成されており、
前記遊技盤の前方には、互いに積層された２枚のガラス板が配置されており、
前記透明部材は、樹脂透明板として２枚の前記ガラス板の前方に積層されており、
前記可動部は、前記樹脂透明板の前面に配置されており、
前記検出部は、前記演出領域における、前記可動部の後方に対向する位置に配置されて、前記可動部の動きを非接触で検出するよう構成されている、請求項１に記載の遊技機。
【請求項３】
前記演出領域における、前記可動部の後方であって前記検出部の検出可能範囲を除く部位には、遊技に関連した演出を行う可動演出装置が配置されており、
前記遊技機の制御装置は、前記可動部が可動したことを前記検出部が検出したときに、前記可動演出装置の少なくとも一部を視認可能な状態で出現させるよう構成されている、請求項１又は２に記載の遊技機。
【発明の詳細な説明】
【技術分野】
【０００１】
本発明は、遊技者の操作を受けて可動する操作装置を備える遊技機に関する。
【背景技術】
【０００２】
例えば、遊技機としてのパチンコ遊技機においては、遊技領域が形成された遊技盤の前方に、２枚のガラス板が設けられたガラス扉が開閉可能に取り付けられている。また、遊技機の前面であってガラス扉の下方には、遊技球を貯留する球皿等が配置された前面パネルが設けられている。そして、球皿、前面パネル等には遊技者によって操作される、演出ボタン等の操作装置が設けられることがある。
【０００３】
例えば、特許文献１においては、操作装置及び遊技制御装置が設けられた遊技機について記載されている。この操作装置は、遊技機の前面に設けられ、遊技者によって操作可能な操作部と、遊技盤に設けられ、操作部の操作に応じて操作信号を出力する信号出力部とを有する。そして、遊技制御装置は、信号出力部からの操作信号を受けて、遊技機における遊技を制御する。
【先行技術文献】
【特許文献】
【０００４】
【特許文献１】特開２００１−７０５３６号公報
【発明の概要】
【発明が解決しようとする課題】
【０００５】
従来の操作装置は、前面パネル、球皿等に配置されているために、遊技機における遊技を行う遊技者は、操作装置を操作するときには、遊技機における遊技盤等から一旦視線をそらし、操作装置に視線を合わせた後、この操作装置を操作する。そのため、遊技盤における遊技又は遊技の演出と、操作装置の操作とが一時的に途切れるおそれがある。
【０００６】
また、特許文献１の操作装置の操作部（操作器）は、２枚のガラス板のうちの前側のガラス板の前面に配置されることがある。この場合には、遊技者の視線が遊技盤に集中しやすいと考えられる。しかし、特許文献１の操作装置においては、操作部による操作を信号出力部によって検出するために、２枚のガラス板に貫通孔を設けるか、遊技者によって操作される操作部内に、電気通信を行うための無線機等を配置する必要がある。この場合には、貫通孔を介して、遊技盤に設けられた各種入賞装置に対して不正行為が行われたり、操作部内の無線機等を用いて遊技制御装置に対して不正な電波を送信する不正行為が行われるおそれがあり、防犯対策として改善の余地が残る。
【０００７】
本発明は、かかる課題に鑑みてなされたもので、遊技の趣向性を高く維持するとともに、防犯性能を高めることができる遊技機を提供しようとして得られたものである。
【課題を解決するための手段】
【０００８】
本発明の一態様は、遊技領域形成部と、前記遊技領域形成部の前方に配置された透明部材と、遊技者の操作を受けて可動する操作装置とを備える遊技機であって、
前記遊技領域形成部には、遊技球が進入して流下可能な球流下領域と、遊技球が進入せず、遊技の演出を行うための演出領域とが形成されており、
前記操作装置は、
前記透明部材における、前記演出領域の前方の位置に配置されて、遊技者の操作を受けて可動する可動部と、
前記透明部材の後方に配置されて、前記可動部の動きを検出する検出部と、を有する、遊技機にある。
【発明の効果】
【０００９】
前記一態様の遊技機においては、操作装置の可動部は、透明部材における、演出領域の前方の位置に配置されている。これにより、遊技者は、遊技を行う遊技領域形成部の遊技領域からほとんど視線をそらさずに可動部を操作することができる。そのため、球流下領域における遊技球の流下状態、演出領域における遊技の演出等を見るときの視線と、操作装置の可動部を操作するときの視線とが一時的に途切れることがなく、遊技又は遊技の演出と可動部の操作との連続性を高め、遊技の趣向性を高く維持することができる。また、可動部が演出領域の前方に配置されていることにより、可動部が、球流下領域を流下する遊技球を視認する際の妨げにならないようにすることができる。
【００１０】
また、操作装置における、可動部の動きを検出する検出部は、透明部材の後方に配置されている。これにより、遊技者による、遊技盤に設けられた各種入賞装置への不正行為や、遊技制御装置に対する不正行為ができなくなり、遊技機の防犯性能を高めることができる。
【００１１】
前記一態様の遊技機によれば、遊技の趣向性を高く維持するとともに、防犯性能を高めることができる。
【図面の簡単な説明】
【００１２】
【図１】実施形態にかかる、遊技機を模式的に示す説明図。
【図２】実施形態にかかる、遊技機を示す、図１のII−II断面図。
【図３】実施形態にかかる、遊技機を示す、図２の部分拡大断面図。
【図４】実施形態にかかる、遊技機を示す、図１のIV−IV断面図。
【図５】実施形態にかかる、遊技機の電気的構成の一部を示すブロック図。
【発明を実施するための形態】
【００１３】
前述した遊技機にかかる好ましい実施形態について、図面を参照して説明する。
本形態の遊技機１は、図１及び図２に示すように、遊技領域形成部２と、遊技領域形成部２の前方Ｄ１に配置された透明部材としての樹脂透明板６と、遊技者の操作を受けて可動する操作装置７とを備える。遊技領域形成部２の遊技領域２０には、遊技球Ｂが進入して流下可能な球流下領域２１と、遊技球Ｂが進入せず、遊技の演出を行うための演出領域２２とが形成されている。操作装置７は、遊技者の操作を受けて可動する可動部７１と、可動部７１の動きを検出する検出部７５とを有する。可動部７１は、樹脂透明板６における、演出領域２２の前方Ｄ１に配置されており、検出部７５は、樹脂透明板６の後方Ｄ２に配置されている。
【００１４】
図１〜図４においては、遊技機１の前後方向Ｄ、左右方向Ｗ及び上下方向Ｈのそれぞれを矢印で示す。また、前後方向Ｄの前方をＤ１で示し、前後方向Ｄの後方をＤ２で示す。
【００１５】
以下に、本形態の遊技機１について詳説する。
（遊技機１）
図１及び図２に示すように、本形態の遊技機１は、パチンコ遊技機であり、外枠１１に対して開閉可能な本体枠１２と、本体枠１２に配置された遊技盤３と、遊技盤３の前方Ｄ１に配置されて、本体枠１２に対して開閉可能なガラス扉１３とを備える。本体枠１２における、ガラス扉１３が配置された位置の下方には、前面パネル１４が開閉可能に配置されている。前面パネル１４には、遊技球Ｂを貯留するための球皿１５、球発射装置を操作するための操作ハンドル１６等が配置されている。本体枠１２には、球皿１５から整流器を経由して発射レールに置かれた遊技球Ｂを遊技機１の球流下領域２１へ発射させる球発射装置、遊技球Ｂを貯留するための球タンク、球タンクから流下する遊技球Ｂを球皿１５へ払い出す球払出装置等が配置されている。
【００１６】
ここで、図１には、遊技機１における遊技盤３等の配置状態を模式的に示す。同図は、遊技盤３、操作装置７、後述する発光源６２、振動発生源６３、可動演出装置８等の配置箇所を示す図であり、ガラス扉１３を適宜省略して示す。
【００１７】
（遊技領域形成部２）
本形態の遊技領域形成部２は、遊技盤３に形成された開口部３１を含む、遊技盤３の全体のことを示す。遊技領域形成部２の遊技領域２０において、球流下領域２１は、遊技盤３の前面によって形成されており、演出領域２２は、遊技盤３の前面及び開口部３１によって形成されている。
【００１８】
（遊技盤３及び画像表示装置４）
図１〜図４に示すように、遊技盤３には、遊技盤３の後方Ｄ２に配置された画像表示装置４の表示画面４１を視認可能にするための開口部３１が形成されている。開口部３１の縁部の周辺には、種々の装飾部材３３が配置されている。画像表示装置４の表示画面４１においては、球流下領域２１における遊技球Ｂの遊技に関連した画像が表示される。画像表示装置４の表示画面４１は、演出領域２２を構成する部分の一つとなる。換言すれば、表示画面４１において表示される画像は、遊技機１における遊技演出の一つとなる。
【００１９】
遊技盤３の前面には、球発射装置から発射される遊技球Ｂが流下する球流下領域２１の外縁を形成する球レール３２が設けられている。球レール３２の一部は、遊技球Ｂの通過を案内する二重レール部３２１として形成されている。また、球レール３２の内側においては、開口部３１の縁部の周辺に配置された装飾部材３３の外側面３３１によって、球流下領域２１の内縁が形成されている。
【００２０】
図１に示すように、本形態の遊技領域２０は、遊技盤３の前面に設けられた球レール３２及び装飾部材３３の外側面３３１によって、球流下領域２１と演出領域２２とに仕切られている。球流下領域２１は、球レール３２と装飾部材３３の外側面３３１との間の領域として形成されている。演出領域２２は、球流下領域２１の内側の領域と、球レール３２の外側に位置する領域とに分かれて形成されている。球流下領域２１の内側の領域は、装飾部材３３が配置された領域、及び装飾部材３３の内側に位置する開口部３１の領域（又は開口部３１から視認できる画像表示装置４の表示画面４１の領域）として表される。
【００２１】
開口部３１の縁部の周辺に配置された装飾部材３３の下辺部は、遊技球Ｂが上面を転がるステージとして使用されてもよい。この場合には、装飾部材３３の下辺部は、球流下領域２１に含まれるものとする。そして、操作装置７の可動部７１は、装飾部材３３の下辺部の前方Ｄ１には配置しないようにする。
【００２２】
本形態の操作装置７の検出部７５は、前後方向Ｄから見たときに、演出領域２２としての開口部３１内の領域に配置された部材３４に配置されている。部材３４は、装飾部材３３から延出された部分とすることができ、別部材として、装飾部材３３又は遊技盤３に取り付けることもできる。
【００２３】
また、可動部７１及び検出部７５は、遊技機１の前後方向Ｄから見て、開口部３１における、左右方向Ｗの中心部であって上下方向Ｈの下側位置に配置されている。そして、可動部７１及び検出部７５は、画像表示装置４の下側部分の前方Ｄ１に配置されている。なお、可動部７１及び検出部７５は、遊技機１の前後方向Ｄから見て、開口部３１の下辺部に重なる位置に配置されていてもよい。
【００２４】
可動部７１が、遊技機１の前後方向Ｄから見て、演出領域２２としての開口部３１の領域又は開口部３１の近傍に配置されていることにより、遊技者は、画像表示装置４の表示画面４１を見る視線をほとんどそらすことなく、可動部７１の押し込み操作を行うことができる。これにより、画像表示装置４における遊技の演出と、可動部７１の押し込み操作との一体感を向上させることができる。
【００２５】
（ガラス板５Ａ，５Ｂ）
図２〜図４に示すように、遊技盤３の前方Ｄ１には、互いに積層された２枚のガラス板５Ａ，５Ｂが配置されている。２枚のガラス板５Ａ，５Ｂは、接着剤等によって保持枠体５１に固着されて、ガラスユニットとしてユニット化されている。ガラスユニットの保持枠体５１は、ガラス扉１３の裏面側に、取付け機構等によって固定されている。流下領域２１内を流下する遊技球Ｂは、遊技盤３と、後側のガラス板５Ｂとの間を通過する。２枚のガラス板５Ａ，５Ｂには、貫通孔は形成されていない。
【００２６】
（樹脂透明板６）
図３及び図４に示すように、可動部７１が配置された樹脂透明板６は、透明又は半透明の樹脂材料によって構成されており、２枚のガラス板５Ａ，５Ｂの前方Ｄ１に積層されている。樹脂透明板６は、２枚のガラス板５Ａ，５Ｂと同じ大きさ又は２枚のガラス板５Ａ，５Ｂの全体を覆う大きさに形成されており、操作装置７の可動部７１を取り付けるために設けられたものである。樹脂透明板６は、２枚のガラス板５Ａ，５Ｂと同様に光を透過し、遊技盤３、画像表示装置４等を視認することができるものであればよい。
【００２７】
本形態の樹脂透明板６は、２枚のガラス板５Ａ，５Ｂを保持する保持枠体５１に保持されている。樹脂透明板６は、ガラス扉１３の枠部を構成する樹脂枠１３１に保持されていてもよい。
【００２８】
樹脂透明板６は、前側のガラス板５Ａとの間に所定の間隔を形成して、前側のガラス板５Ａの前方Ｄ１に配置されている。樹脂透明板６は、前側のガラス板５Ａに接触して配置されていてもよい。また、前側のガラス板５Ａをなくすとともに、樹脂透明板６を前側のガラス板５Ａの代わりに使用することもできる。この場合には、遊技盤３の前方Ｄ１には、樹脂透明板６と後側のガラス板５Ｂとが積層して配置される。
【００２９】
（操作装置７）
図３及び図４に示すように、本形態の操作装置７は、互いに分離して設けられた、遊技者による機械的操作を受けて可動する可動部７１と、可動部７１の動きを電気的に検出する検出部７５とを有する。可動部７１は、樹脂透明板６の前面に配置されており、検出部７５は、開口部３１の領域としての演出領域２２における、可動部７１の後方Ｄ２に対向する位置に配置されている。換言すれば、検出部７５は、遊技機１の前後方向Ｄから見たときに、可動部７１の後方Ｄ２に重なる位置に配置されている。
【００３０】
本形態の可動部７１は、押釦スイッチによって構成されており、遊技者によって押し込み操作が可能である。可動部７１としての押釦スイッチは、樹脂透明板６に取り付けられたベゼル（ベース部材）７２と、ベゼル７２に対してスライド可能に配置されたスライド釦７３と、スライド釦７３を突出方向（戻し方向）に付勢するバネ等の付勢部材７４とを有する。スライド釦７３は、ベゼル７２に対して遊技機１の前後方向Ｄへスライドするよう樹脂透明板６に配置されている。
【００３１】
スライド釦７３は、図３に示すように、初期位置７０１においては、付勢部材７４によって突出方向に付勢されてベゼル７２から突出しており、図４に示すように、付勢部材７４を弾性変形させながら、初期位置７０１から押込位置７０２に押し込み操作される。初期位置７０１にあるスライド釦７３は、ベゼル７２の先端部によって抜け出しが防止されている。また、ベゼル７２には、スライド釦７３の押し込み操作位置を規定するための位置規定ストッパーが別途設けられている。
【００３２】
図３及び図４に示すように、本形態の検出部７５は、可動部７１におけるスライド釦７３の動き（スライド）を非接触で検出するよう構成されている。非接触式の検出部７５を用いることにより、可動部７１と検出部７５との間には、可動部７１の操作を検出部７５に伝達するための伝達部材等を設ける必要がない。これにより、２枚のガラス板５Ａ，５Ｂには、貫通孔が形成されていない。そのため、２枚のガラス板５Ａ，５Ｂの貫通孔を利用した、遊技盤に設けられた各種入賞装置に対しての遊技者による不正行為を防止することができる。
【００３３】
検出部７５においては、物体の存在を検出可能な、検出部７５の出射部７５１からの検出可能距離を決定する検出可能範囲Ａが設定されている。そして、スライド釦７３の一部が検出可能範囲Ａ内に入ったときに、スライド釦７３が初期位置７０１から押込位置７０２に押し込まれたことを検出可能である。本形態の検出部７５は、電気的に動作する、赤外線反射方式の測距センサ（距離測定センサ）によって構成されている。検出部７５の検知方向は、開口部３１の領域としての演出領域２２において遊技機１の前方Ｄ１に向けられている。
【００３４】
図３及び図４に示すように、樹脂透明板６における、ベゼル７２が配置された部位の内側には、貫通孔６１が形成されている。なお、貫通孔６１は形成しないこともできる。
【００３５】
スライド釦７３は、円筒部７３１と、円筒部７３１の前端部を閉塞する閉塞前端部７３２とを有する。スライド釦７３の閉塞前端部７３２の後面には、後方Ｄ２に向けて突出する検出用突起７３３が形成されている。本形態の検出用突起７３３は、スライド釦７３が押込位置７０２にスライドする際に貫通孔６１内に挿入される。検出用突起７３３の形成と、検出用突起７３３が挿入されるように貫通孔６１が形成されていることにより、スライド釦７３から検出部７５の出射部７５１までの距離を短くして、検出部７５によるスライド釦７３の検出を容易にすることができる。
【００３６】
また、図示は省略するが、検出部７５は、赤外線の出射方向がガラス板５Ａ，５Ｂに対して垂直な状態から若干傾斜するように、遊技盤３の部材３４に配置されている。これにより、検出部７５から出射される赤外線が、２枚のガラス板５Ａ，５Ｂにおいて反射しにくくすることができ、検出部７５による誤検出を防止することができる。検出部７５は、ガラス板５Ａ，５Ｂの垂線に対して５°以下の傾斜角度で、遊技盤３、遊技盤３の装飾部材等に配置することができる。
【００３７】
検出部７５から出射される赤外線は、２枚のガラス板５Ａ，５Ｂを透過することができる。そして、検出部７５から出射される赤外線は、スライド釦７３の検出用突起７３３が、検出部７５の検出可能範囲Ａ内に入ったときに、検出用突起７３３によって反射されて検出部７５に入射する。これにより、検出部７５が、スライド釦７３が押込位置７０２に押し込まれたことを検出することができる。
【００３８】
なお、操作装置７は、遊技盤３の演出領域２２内における種々の部位の前方Ｄ１に配置することができる。また、可動部７１は、前後方向Ｄにスライド操作可能にする以外にも、前後方向Ｄに対して傾斜する方向又は直交する方向にスライド操作可能にすることもできる。また、可動部７１は、回動操作可能にすることもできる。検出部７５は、赤外線反射方式のもの以外にも、非接触式であれば、光、電波等を用いた種々のものとすることができる。
【００３９】
（スライド釦７３の発光）
図２及び図３に示すように、可動部７１におけるスライド釦７３は、樹脂透明板６を利用して送られる可視光Ｘを、遊技者に向けて照射するよう構成されている。スライド釦７３は、可視光Ｘを導光して出射することが可能な透明又は半透明の樹脂部材によって形成されている。また、樹脂透明板６は、可視光Ｘを導光する導光体として機能する。樹脂透明板６の端面には、ＬＥＤ（発光ダイオード）等の発光源６２が対向して配置されている。発光源６２は、２枚のガラス板５Ａ，５Ｂ及び樹脂透明板６の外縁部を保持する保持枠体５１に配置されている。発光源６２は、ガラス扉１３の樹脂枠１３１に配置されていてもよい。
【００４０】
図１及び図２に示すように、本形態の発光源６２は、樹脂透明板６の左右一対の端面における、可動部７１の側方に対向する位置に配置されている。発光源６２を、可動部７１の両側の側方に対向して配置することにより、発光源６２から出射される可視光Ｘによって、スライド釦７３の円筒部７３１の全周を介して閉塞前端部７３２の全周を発光させることができる。発光源６２は、例えば、樹脂透明板６の上下一対の端面における、可動部７１の両側に対向する位置に配置することもできる。また、発光源６２は、例えば、樹脂透明板６の左右一対の端面及び上下一対の端面の計４か所に対向する位置に配置することもできる。
【００４１】
樹脂透明板６における貫通孔６１の縁部には、樹脂透明板６内を前後方向Ｄに直交する方向に沿って通過する可視光Ｘを、可動部７１のスライド釦７３に向けて屈折させるプリズムとして機能する傾斜面６１１が形成されている。貫通孔６１の縁部の傾斜面６１１は、前後方向Ｄに対して４５°傾斜する内面として形成されている。樹脂透明板６に、傾斜面６１１を有する貫通孔６１を形成することにより、可視光Ｘを屈折させるプリズム機能を容易に構成することができる。
【００４２】
図３に示すように、発光源６２から出射された可視光Ｘは、樹脂透明板６内を左右方向Ｗの内側へ通過した後、貫通孔６１の縁部の傾斜面６１１によって前後方向Ｄの前方Ｄ１に屈折され、スライド釦７３の円筒部７３１へ入射する。そして、この可視光Ｘは、スライド釦７３の円筒部７３１内を前方Ｄ１へ通過した後、スライド釦７３の閉塞前端部７３２の前面から遊技者に向けて出射される。可視光Ｘは、スライド釦７３が初期位置７０１及び押込位置７０２のいずれの位置にあるときにおいても、貫通孔６１の傾斜面６１１から円筒部７３１へ入射することができる。なお、スライド釦７３の円筒部７３１の内周面には装飾カットが施されており、この装飾カットによって、円筒部７３１に入射した可視光Ｘの一部は外周側に向けて拡散出射される。
【００４３】
スライド釦７３を発光させる発光源６２は、可動部７１の外部に配置されている。そして、可動部７１内には、発光源６２等の電気を使用する機器は配置されていない。樹脂透明板６を保持する保持枠体５１に配置された発光源６２から出射させる可視光Ｘを、樹脂透明板６及び樹脂透明板６の貫通孔６１を利用してスライド釦７３へ導く構成により、スライド釦７３の内部又は樹脂透明板６の前面に発光源６２を配置することなく、スライド釦７３を発光させることができる。また、樹脂透明板６には、レーザーカット等によって意匠模様を設けることもできる。この場合には、意匠模様により、発光源６２の発光時にのみ、いわゆるイルミパネルのような発光表示を行うことができる。
【００４４】
（振動発生源６３）
図１及び図４に示すように、本形態の遊技機１は、遊技者による可動部７１の押し込み操作が検出部７５によって検出されたことを、振動によって遊技者にフィードバックするよう構成されている。本形態の樹脂透明板６には、樹脂透明板６に振動を与えるための振動発生源６３が配置されている。本形態の振動発生源６３は、通電することによって振動を発生させる振動モータによって構成されている。
【００４５】
そして、遊技機１の制御装置１０は、検出部７５が、遊技者による可動部７１のスライド釦７３の押し込み操作を検出したとき（スライド釦７３が押込位置７０２にスライドしたとき）には、振動発生源６３を動作させて樹脂透明板６を振動させる。こうして、振動発生源６３から樹脂透明板６を介して可動部７１へと振動が伝達され、その結果として遊技者に振動が伝わることにより、遊技者は、スライド釦７３の押し込み操作が検出部７５によって遊技機１に入力されたことを認知することができる。そのため、遊技者による可動部７１の操作感を向上させることができる。また、振動発生源６３による可動部７１の振動は、遊技者がスライド釦７３を操作するときの触感に訴える、振動を用いた遊技演出の向上を目的としても利用される。
【００４６】
振動発生源６３は、樹脂透明板６におけるいずれかの端部に、１つ又は複数配置することができる。本形態の振動発生源６３は、樹脂透明板６の下辺部の左右両側に配置されている。
【００４７】
（可動演出装置８）
図１〜図４に示すように、演出領域２２における、可動部７１の後方Ｄ２であって検出部７５の検出可能範囲Ａを除く部位には、遊技に関連した演出を行う可動演出装置８が配置されている。可動演出装置８は、可動ギミック又は可動演出体ともいい、外形が拡大する等の形状の変化によって遊技の演出を行うものである。また、可動演出装置８は、可動部７１のスライド釦７３の操作に応じて動作することができる。
【００４８】
可動演出装置８は、初期状態８０１においては、遊技機１の前方Ｄ１から見て、可動部７１又は検出部７５の周囲に収束されており、可動状態８０２においては、可動部７１の周囲から、前後方向Ｄに直交する方向に拡がるように可動する。初期状態８０１において、可動演出装置８が可動部７１又は検出部７５の周囲に収束された状態においては、可動演出装置８の一部が遊技者から視認可能であってもよい。可動演出装置８は、画像表示装置４の表示画面４１の一部を前方Ｄ１から覆っており、初期状態８０１から可動状態８０２に変化するときに、画像表示装置４の表示画面４１を覆う面積を大きくする。可動演出装置８が初期状態８０１にあるときには、可動演出装置８の、拡大するように可動する可動部分が、視認不能な状態で隠されており、可動演出装置８が可動状態８０２に変化したときには、可動演出装置８の可動部分が視認可能な状態で出現する。
【００４９】
遊技機１の制御装置１０は、可動部７１の可動を検出部７５が検出したときに、換言すれば、スライド釦７３が押込位置７０２にスライドしたことを検出部７５が検出したときに、可動演出装置８を初期状態８０１から可動状態８０２に変化させ、可動演出装置８の一部を視認可能な状態で出現させるよう構成されている。遊技者が可動部７１のスライド釦７３を押し込み操作したことを受けて、可動演出装置８の一部が出現することにより、遊技者による操作と遊技機１による遊技の演出との一体感を向上させることができる。また、可動部７１、検出部７５、又は初期状態８０１にある可動演出装置８の視認可能部分の外観意匠と、可動状態８０２にある可動演出装置８の外観意匠とに関連性を持たせることによって、可動演出装置８の出現時に、意匠性による演出の一体感を持たせることができる。
【００５０】
遊技機１の制御装置１０は、画像表示装置４の表示画面４１に表示される画像に関連して、遊技者による可動部７１の可動操作を受け付けるよう構成されている。遊技機１の制御装置１０は、球流下領域２１における遊技球Ｂの遊技中に、画像表示装置４の表示画面４１に、可動部７１のスライド釦７３を押し込むように促す画像表示を行うよう構成されている。
【００５１】
図５は、遊技機１の電気的構成の一部を示す。同図に示すように、画像表示装置４の表示画面４１における画像の表示、発光源６２の発光動作、検出部７５の検出動作、振動発生源６３の振動動作、可動演出装置８の動作等のすべては、遊技機１の制御装置１０によって行われる。
【００５２】
（遊技機１における制御動作）
遊技者が、遊技機１において、操作ハンドル１６を操作して、球発射装置によって発射される遊技球Ｂを遊技盤３の球流下領域２１へ発射させて遊技を行う際には、制御装置１０によって、画像表示装置４の表示画面４１に、遊技内容に応じた表示が行われる。そして、球流下領域２１における入賞装置等に遊技球Ｂが入賞したとき等には、制御装置１０は、画像表示装置４の表示画面４１に、可動部７１のスライド釦７３を押し込むように促す表示をする。このとき、スライド釦７３は、発光源６２から樹脂透明板６によって導光される可視光Ｘを受けて発光することができる。
【００５３】
また、制御装置１０は、操作装置７の検出部７５によって、スライド釦７３の押し込み操作の有無の検出を開始する。そして、遊技者がスライド釦７３を初期位置７０１から押込位置７０２へ押し込んだときには、制御装置１０は、このスライド釦７３の押し込み操作を検出部７５によって検出する。このとき、制御装置１０は、振動発生源６３を動作させて樹脂透明板６を振動させるとともに、可動演出装置８を動作させて、可動演出装置８を初期状態８０１から可動状態８０２に変化させる。これにより、遊技者によって操作装置７の可動部７１が操作されるときには、遊技者に、操作が受け付けられたことを確認できる、振動による操作感、振動触感による遊技演出感等を与えるとともに、可動演出装置８の出現による躍動感を与えることができる。
【００５４】
また、可動演出装置８を用いる代わりに、画像表示装置４の表示画面４１による画像表示を用いて、可動演出装置８を用いる場合と同様に、操作装置７から演出体が出現するような遊技演出を行うこともできる。
【００５５】
（作用効果）
本形態の遊技機１においては、操作装置７の可動部７１は、樹脂透明板６の前面における、画像表示装置４の表示画面４１が配置された開口部３１の領域としての演出領域２２の前方Ｄ１に配置されている。これにより、遊技者は、特に、遊技盤３の中央部付近に配置された画像表示装置４の表示画面４１からほとんど視線をそらさずに可動部７１を操作することができる。そのため、遊技者が画像表示装置４の表示画面４１等を見るときの視線と、遊技者が操作装置７の可動部７１を操作するときの視線とが一時的に途切れることがなく、遊技又は遊技の演出と可動部７１の操作との連続性を高め、遊技の趣向性を高く維持することができる。また、可動部７１が演出領域２２の前方Ｄ１に配置されていることにより、可動部７１が、球流下領域２１を流下する遊技球Ｂを視認する際の妨げにならないようにすることができる。
【００５６】
また、可動部７１のスライド釦７３の押し込み操作を検出部７５が検出したときに、可動演出装置８が動作して初期状態８０１から可動状態８０２に変化することにより、可動部７１の操作を受けた遊技の演出効果を高めることができ、遊技の趣向性をさらに高めることができる。
【００５７】
また、操作装置７の可動部７１におけるスライド釦７３の押し込み操作を検出する検出部７５は、後側のガラス板５Ｂの後方Ｄ２に配置されている。そして、２枚のガラス板５Ａ，５Ｂには、操作装置７の操作及び操作の検出を行うために利用される貫通孔は形成されていない。これにより、遊技者による、遊技盤３に設けられた各種入賞装置への貫通孔を利用した不正行為や、遊技者による、制御装置１０に対する不正行為が行われることがなくなり、遊技機１の防犯性能を高めることができる。
【００５８】
また、可動部７１は、機械的な機構のみで構成されており、可動部７１には、電気又は電気通信を利用して動作する、無線機等の電気的な構成は設けられていない。これにより、遊技者によって、電波等の電気的媒体を利用して制御装置１０に対して不正行為が行われることを防止することができる。また、可動部７１には、可動部７１に電力を供給するための電気接続線を設ける必要がない。そのため、操作装置７に関連して使用される構成部品の構成を簡易的にすることができる。
【００５９】
このように、本形態の遊技機１によれば、遊技の趣向性を高く維持するとともに、防犯性能を高めることができる。
【００６０】
本発明は、実施形態のみに限定されるものではなく、その要旨を逸脱しない範囲においてさらに異なる実施形態を構成することが可能である。また、本発明は、様々な変形例、均等範囲内の変形例等を含む。
【符号の説明】
【００６１】
１  遊技機
１０  制御装置
２  遊技領域形成部
２０  遊技領域
２１  球流下領域
２２  演出領域
３  遊技盤
３１  開口部
４  画像表示装置
５Ａ，５Ｂ  ガラス板
６  樹脂透明板（透明部材）
７  操作装置
７１  可動部
７５  検出部
８  可動演出装置
【図１】
2020054624.tif 000003
【図２】
2020054624.tif 000004
【図３】
2020054624.tif 000005
【図４】
2020054624.tif 000006
【図５】
2020054624.tif 000007